(57)【要約】【課題】  セルが切り替ることによるユーザデータの消失を防止してユーザデータの再送を抑制できる無線基地局装置及びその制御方法を提供する。【解決手段】  無線基地局装置が管理する複数のセル内に在圏する全ての移動端末宛のユーザデータを、全てのセル毎の処理で利用可能な複数のユーザバッファ、あるいはセル毎の処理で利用可能な複数のユーザバッファに一時的に保存し、セル毎に優先制御を実現するように各ユーザバッファからユーザデータを選択し、送信先の移動端末に送信する。【選択図】  図１
2005295112.tif 000002
【特許請求の範囲】
【請求項１】
複数のセル内に在圏する各移動端末に対して、それぞれのユーザデータを送信する無線基地局装置であって、
前記ユーザデータをそれぞれ一時的に保持する、全ての前記セル毎の処理で利用可能な複数のユーザバッファから成るバッファ装置と、
前記移動端末宛のユーザデータを該移動端末が在圏するセルに送信するための制御を行うユーザ制御部と、
前記ユーザ制御部の指示にしたがって、自セル内に在圏する移動端末に送信するユーザデータを前記バッファ装置から取得する、前記セルに対応して設けられた複数のユーザ選択部と、
を有する無線基地局装置。
【請求項２】
複数のセル内に在圏する各移動端末に対して、それぞれのユーザデータを送信する無線基地局装置であって、
前記ユーザデータをそれぞれ一時的に保持する、前記セル毎の処理で利用可能な複数のユーザバッファから成る、前記セルに対応して設けられた複数のバッファ装置と、
前記移動端末宛のユーザデータを該移動端末が在圏するセルに送信するための制御を行うユーザ制御部と、
前記ユーザ制御部の指示にしたがって、自セル内に在圏する移動端末に送信するユーザデータを自セルに対応するバッファ装置から取得する、前記セルに対応して設けられた複数のユーザ選択部と、
を有する無線基地局装置。
【請求項３】
前記ユーザ制御部は、
前記移動端末が在圏するセルの切り替りを検知すると、移動先のセルに対応するユーザバッファ内に該移動端末宛のユーザデータを保持するためのユーザバッファを確保し、
移動元のセルに対応したバッファ装置に転送される該移動端末宛のユーザデータのコピーを前記確保したユーザバッファに転送し、
該移動端末が在圏するセルの切り替りが完了した時点で、移動元のセルに対応したバッファ装置内の該移動端末宛のユーザデータを削除する請求項２記載の無線基地局装置。
【請求項４】
前記ユーザ制御部は、
前記セル内に在圏する複数の移動端末に対する前記ユーザデータの送信機会を前記ユーザデータの優先度に応じて割り当てるための優先制御を前記セル単位で実行する請求項１乃至３のいずれか１項記載の無線基地局装置。
【請求項５】
複数のセル内に在圏する各移動端末に対してそれぞれのユーザデータを送信する無線基地局装置の制御方法であって、
全ての前記セル毎の処理で利用可能な複数のユーザバッファから成るバッファ装置に前記ユーザデータをそれぞれ一時的に格納し、
前記セル毎に、在圏する移動端末に送信するユーザデータを前記バッファ装置からそれぞれ取得し、
該取得したユーザデータを各セル内に在圏する対応する移動端末にそれぞれ送信する無線基地局装置の制御方法。
【請求項６】
複数のセル内に在圏する各移動端末に対してそれぞれのユーザデータを送信する無線基地局装置の制御方法であって、
前記セル毎の処理で利用可能な複数のユーザバッファから成るバッファ装置に前記ユーザデータをそれぞれ一時的に格納し、
前記セル毎に、自セル内に在圏する移動端末に送信するユーザデータを該セルに対応するバッファ装置からそれぞれ取得し、
該取得したユーザデータを各セル内に在圏する対応する移動端末にそれぞれ送信する無線基地局装置の制御方法。
【請求項７】
前記移動端末が在圏するセルの切り替りを検知すると、移動先のセルに対応するユーザバッファ内に該移動端末宛のユーザデータを保持するためのユーザバッファを確保し、
移動元のセルに対応したバッファ装置に転送される該移動端末宛のユーザデータのコピーを前記確保したユーザバッファに転送し、
該移動端末が在圏するセルの切り替りが完了した時点で、移動元のセルに対応したバッファ装置内の該移動端末宛のユーザデータを削除する請求項６記載の無線基地局装置の制御方法。
【請求項８】
前記セル内に在圏する複数の移動端末に対する前記ユーザデータの送信機会が前記ユーザデータの優先度に応じて割り振られるように前記セル単位でユーザデータを選択する請求項５乃至７のいずれか１項記載の無線基地局装置の制御方法。
【発明の詳細な説明】
【技術分野】
【０００１】
本発明は移動通信システムが備える無線基地局装置及びその制御方法に関する。
【背景技術】
【０００２】
近年、固定通信網だけでなく移動通信網においてもデータトラフィックの大幅な増加が予想され、Ｗ−ＣＤＭＡ（Wideband Code Division Multiple Access）方式等では、下り回線(無線基地局装置から移動端末への無線リンク)におけるデータトラフィックの増加に対応するために、３ＧＰＰ(3rd Generation Partnership Project)のRelease 5にてＨＳＤＰＡ(High Speed Downlink Packet Access)が提案されている。
【０００３】
ＨＳＤＰＡは、誤り訂正技術であるＨＡＲＱ(Hybrid Automatic Repeat reQuest)を採用すると共に、多数の移動端末毎の下りデータを時間多重及びコード多重し、無線リンク品質を考慮して各移動端末に対する送信機会を一つの共通チャネル上に割り当てるスケジューリングを行う。このＨＳＤＰＡを採用した移動通信システムでは、様々な電波環境下にある多数の移動端末に対して無線基地局装置から共通のチャネルを用いてパケットが送信されるため、通信相手の移動端末が多いほどシステムスループットの改善効果が期待できる。
【０００４】
また、ＨＳＤＰＡに対応する無線基地局装置では、セル（Cell）毎に設けられた拡散符号器を複数の移動端末との通信で共有するため、移動端末毎にPriority(送信機会の優先度)を設定し、無線基地局装置でPriorityに応じた送信データ量を適切に割り振る必要がある。このような優先制御を実現するため、無線基地局装置には移動端末毎のユーザデータを一時的に保持するためのバッファ装置を備えている（例えば、非特許文献１参照）。
【非特許文献１】3GPP TR25.321 V5.7.0 (2003-12), "MAC protocol specification"
【発明の開示】
【発明が解決しようとする課題】
【０００５】
上述したように、ＨＳＤＰＡに対応する無線基地局装置では、一つの拡散符号器を複数の移動端末との通信で共有するため、各移動端末宛に送信するユーザデータの優先制御が必要になる。
【０００６】
また、移動通信システムでは、移動端末が通信しながら移動することも考慮しなければならないため、上記優先制御と共に、移動端末が任意のセルから他のセルに移動することで在圏するセルが切り替っても、該移動端末宛のユーザデータを消失することなく確実に送信するためのバッファ制御が必要になる。
【０００７】
例えば、無線基地局装置が管理する複数のセル毎に対応するバッファ装置をそれぞれ備えている場合、バッファ制御として任意のセルのバッファ装置内に滞留しているユーザデータを送信先の移動端末が該セル内に在圏する間に全て送信完了するように制御すると、該移動端末の移動速度が速ければ送信が完了する前に他のセルへ移ってしまうため、永久にユーザデータの送信が完了しないことになる。逆に、ユーザデータの送信先の移動端末が在圏しているセルに対応してバッファ装置を次々に切り替えるように制御すると、移動元セルのバッファ装置に滞留していたユーザデータは廃棄されるため、ユーザデータの再送制御が必要になる。
【０００８】
本発明は上記したような従来の技術が有する問題点を解決するためになされたものであり、セルが切り替ることによるユーザデータの消失を防止してユーザデータの再送を抑制できる無線基地局装置及びその制御方法を提供することを目的とする。
【課題を解決するための手段】
【０００９】
上記目的を達成するため本発明の無線基地局装置は、複数のセル内に在圏する各移動端末に対して、それぞれのユーザデータを送信する無線基地局装置であって、
前記ユーザデータをそれぞれ一時的に保持する、全ての前記セル毎の処理で利用可能な複数のユーザバッファから成るバッファ装置と、
前記移動端末宛のユーザデータを該移動端末が在圏するセルに送信するための制御を行うユーザ制御部と、
前記ユーザ制御部の指示にしたがって、自セル内に在圏する移動端末に送信するユーザデータを前記バッファ装置から取得する、前記セルに対応して設けられた複数のユーザ選択部と、
を有する構成である。
【００１０】
または、複数のセル内に在圏する各移動端末に対して、それぞれのユーザデータを送信する無線基地局装置であって、
前記ユーザデータをそれぞれ一時的に保持する、前記セル毎の処理で利用可能な複数のユーザバッファから成る、前記セルに対応して設けられた複数のバッファ装置と、
前記移動端末宛のユーザデータを該移動端末が在圏するセルに送信するための制御を行うユーザ制御部と、
前記ユーザ制御部の指示にしたがって、自セル内に在圏する移動端末に送信するユーザデータを自セルに対応するバッファ装置から取得する、前記セルに対応して設けられた複数のユーザ選択部と、
を有する構成である。
【００１１】
なお、前記ユーザ制御部は、
前記セル内に在圏する複数の移動端末に対する前記ユーザデータの送信機会を前記ユーザデータの優先度に応じて割り当てるための優先制御を前記セル単位で実行してもよい。
【００１２】
一方、本発明の無線基地局装置の制御方法は、複数のセル内に在圏する各移動端末に対してそれぞれのユーザデータを送信する無線基地局装置の制御方法であって、
全ての前記セル毎の処理で利用可能な複数のユーザバッファから成るバッファ装置に前記ユーザデータをそれぞれ一時的に格納し、
前記セル毎に、在圏する移動端末に送信するユーザデータを前記バッファ装置からそれぞれ取得し、
該取得したユーザデータを各セル内に在圏する対応する移動端末にそれぞれ送信する方法である。
【００１３】
または、複数のセル内に在圏する各移動端末に対してそれぞれのユーザデータを送信する無線基地局装置の制御方法であって、
前記セル毎の処理で利用可能な複数のユーザバッファから成るバッファ装置に前記ユーザデータをそれぞれ一時的に格納し、
前記セル毎に、自セル内に在圏する移動端末に送信するユーザデータを該セルに対応するバッファ装置からそれぞれ取得し、
該取得したユーザデータを各セル内に在圏する対応する移動端末にそれぞれ送信する方法である。
【００１４】
なお、前記セル内に在圏する複数の移動端末に対する前記ユーザデータの送信機会が前記ユーザデータの優先度に応じて割り振られるように前記セル単位でユーザデータを選択してもよい。
【発明の効果】
【００１５】
上記のような無線基地局装置及びその制御方法では、無線基地局装置が管理する複数のセル内に在圏する全ての移動端末宛のユーザデータを、全てのセル毎の処理で利用可能な複数のユーザバッファ、あるいはセル毎の処理で利用可能な複数のユーザバッファに一時的に保存し、セル毎に優先制御を実現するように各ユーザバッファからユーザデータを選択し、送信先の移動端末に送信するため、ユーザの移動により移動端末が在圏するセルが切り替る場合でも、バッファ装置内に滞留するユーザデータを廃棄することなく各移動端末にそれぞれのユーザデータを送信できる。したがって、ユーザデータの廃棄処理が無くなることでユーザデータの再送が不要になるため、無線基地局装置と各移動端末間の通信効率が向上する。
【発明を実施するための最良の形態】
【００１６】
次に本発明について図面を参照して説明する。
【００１７】
（第１の実施の形態）
図１は本発明の無線基地局装置の第１の実施の形態の構成を示すブロック図であり、図２は図１に示した第３の移動端末が第２のセルから第３のセルに移動した様子を示すブロック図である。なお、図１及び図２は３つのセル（Cell）を管理する無線基地局装置１０の構成例を示している。無線基地局装置１０が管理するセルの数は３つに限らず、いくつであってもよい。
【００１８】
図１に示すように、第１の実施の形態の無線基地局装置１０は、移動端末毎のユーザデータを一時的に保持するバッファ装置１００と、各セルに対応して設けられた、ユーザデータを選択するための第１のユーザ選択部１１１、第２のユーザ選択部１１２及び第３のユーザ選択部１１３と、各セルに対応して設けられた、ユーザデータの符号化及び拡散を行う第１の拡散符号器１２１、第２の拡散符号器１２２及び第３の拡散符号器１２３と、第１のユーザ選択部１１１〜第３のユーザ選択部１１３を制御することでユーザデータの優先制御を実現するユーザ制御部１３０と、各セルに対応して設けられた第１のアンテナ装置２１、第２のアンテナ装置２２及び第３のアンテナ装置２３とを有する構成である。
【００１９】
第１のユーザ選択部１１１、第１の拡散符号器１２１及び第１のアンテナ装置２１は、無線基地局装置１０が管理する３つのセルのうち、第１のセルCell#１に対応した装置である。第２のユーザ選択部１１２、第２の拡散符号器１２２及び第２のアンテナ装置２２は、無線基地局装置１０が管理する３つのセルのうち、第２のセルCell#２に対応した装置である。また、第３のユーザ選択部１１３、第３の拡散符号器１２３及び第３のアンテナ装置２３は、無線基地局装置１０が管理する３つのセルのうち、第３のセルCell#３に対応した装置である。
【００２０】
本実施形態のバッファ装置１００は、全てのセル毎の処理で利用可能な複数のユーザバッファ（図１では第１のユーザバッファ１０１〜第６のユーザバッファ１０６）を備え、不図示の上位装置（ＲＮＣ：Radio Network Controller）から無線基地局装置１０に転送される各移動端末宛のユーザデータが格納される。バッファ装置１００が備えるユーザバッファの数は、最大送信電力等によって決まる無線基地局装置１０が収容可能な移動端末の数を考慮して最適に設定される。
【００２１】
第１の拡散符号器１２１〜第３の拡散符号器１２３は、無線基地局装置１０に入力されたユーザデータに対して誤り訂正用の符号化処理を行った後、周知の拡散処理を行い、対応する第１のアンテナ装置２１〜第３のアンテナ装置２３へ出力する。
【００２２】
本実施形態のユーザ制御部１３０は、例えば不図示の上位装置からの通知に基づき各移動端末が在圏するセルを判断し、第１のユーザ選択部１１１〜第３のユーザ選択部１１３に対してどのユーザバッファに格納されたユーザデータを選択するかを指示する。
【００２３】
図１は、ユーザＡの第１の移動端末３１及びユーザＢの第２の移動端末３２が第１のセルCell#１に在圏し、ユーザＡのユーザデータが第１のユーザバッファ１０１に格納され、ユーザＢのユーザデータが第２のユーザバッファ１０２に格納される例を示している。
【００２４】
また、ユーザＣの第３の移動端末３３及びユーザＤの第４の移動端末３４が第２のセルCell#２に在圏し、ユーザＣのユーザデータが第３のユーザバッファ１０３に格納され、ユーザＤのユーザデータが第４のユーザバッファ１０４に格納される例を示している。
【００２５】
さらに、ユーザＥの第５の移動端末３５及びユーザＦの第６の移動端末３６が第３のセルCell#３に在圏し、ユーザＥのユーザデータが第５のユーザバッファ１０５に格納され、ユーザＦのユーザデータが第６のユーザバッファ１０６に格納される例を示している。
【００２６】
この場合、ユーザ制御部１３０は、第１のユーザバッファ１０１及び第２のユーザバッファ１０２に格納されたユーザデータに対して、それぞれのPriorityに応じた送信機会が割り当てられるように第１のユーザ選択部１１１に選択させるユーザデータを指示する。
【００２７】
また、ユーザ制御部１３０は、第３のユーザバッファ１０３及び第４のユーザバッファ１０４に格納されたユーザデータに対して、それぞれのPriorityに応じた送信機会が割り当てられるように第２のユーザ選択部１１２に選択させるユーザデータを指示する。
【００２８】
さらに、ユーザ制御部１３０は、第５のユーザバッファ１０５及び第６のユーザバッファ１０６に格納されたユーザデータに対して、それぞれのPriorityに応じた送信機会が割り当てられるように第３のユーザ選択部１１３に選択させるユーザデータを指示する。
【００２９】
Priorityを考慮した優先制御としては、例えば、重み付けラウンドロビン（以下、ＷＲＲ（Weighted Round Robin）と称す）法が知られている。ＷＲＲ法はPriorityを重みとして考慮し、Priorityの大きい移動端末ほど多くの送信機会を割り当てる方法である。
【００３０】
第１のユーザ選択部１１１〜第３のユーザ選択部１１３は、ユーザ制御部１３０の指示にしたがって対応するユーザバッファを検索し、検索したユーザバッファからユーザデータを取得して第１の拡散符号器１２１〜第３の拡散符号器１２３へ出力する。
【００３１】
次に、第１の実施の形態の無線基地局装置の動作について図１及び図２を用いて説明する。
【００３２】
図１に示すように、第２のセルCell#２には、ユーザＣの第３の移動端末３３及びユーザＤの第４の移動端末３４が在圏しているため、第２のユーザ選択部１１２は、ユーザ制御部１３０の指示に従い、それぞれのPriorityに応じた送信機会が割り当てられるように、所定の単位時間毎に第３のユーザバッファ１０３及び第４のユーザバッファ１０４からユーザデータを取得し、第２の拡散符号器１２２へ出力する。
【００３３】
また、第３のセルCell#３には、ユーザＥの第５の移動端末３５及びユーザＦの第６の移動端末３６が在圏しているため、第３のユーザ選択部１１３は、ユーザ制御部１３０の指示に従い、それぞれのPriorityに応じた送信機会が割り当てられるように、所定の単位時間毎に第５のユーザバッファ１０５及び第６のユーザバッファ１０６からユーザデータを取得し、第３の拡散符号器１２３へ出力する。
【００３４】
ここで、図２に示すように、ユーザＣの第３の移動端末３３が第２のセルCell#２から第３のセルCell#３へ移動した場合、ユーザ制御部１３０は不図示の上位装置からの通知により第３の移動端末３３が第３のセルCell#３へ移動したことを検知する。
【００３５】
第３の移動端末３３が在圏するセルの切り替りを検知したユーザ制御部１３０は、第２のユーザ選択部１１２に対する第３の移動端末３３宛のユーザデータの優先制御を解除し、第３のユーザ選択部１１３に対する第３の移動端末３３宛のユーザデータの優先制御を追加する。
【００３６】
以降、第２のユーザ選択部１１２は、第２のセルCell#２にユーザＤの第４の移動端末３４のみ在圏しているため、第４の移動端末３４宛のユーザデータが格納された第４のユーザバッファ１０４からユーザデータを取得し、第２の拡散符号器１２２へ取得したユーザデータを出力する。
【００３７】
また、第３のユーザ選択部１１３は、第３のセルCell#３にユーザＣの第３の移動端末３３、ユーザＥの第５の移動端末３５及びユーザＦの第６の移動端末３６が在圏しているため、ユーザ制御部１３０の指示に従い、それぞれのPriorityに応じた送信機会が割り当てられるように、所定の単位時間毎に第３のユーザバッファ１０３、第５のユーザバッファ１０５及び第６のユーザバッファ１０６からユーザデータを取得し、第３の拡散符号器１２３へ出力する。
【００３８】
本実施形態の無線基地局装置によれば、無線基地局装置１０が管理する複数のセル内に在圏する全ての移動端末宛のユーザデータをバッファ装置１００を用いて一律に管理し、セル毎に優先制御を実現するように各ユーザバッファからユーザデータを選択し、送信先の移動端末に送信するため、ユーザの移動により移動端末が在圏するセルが切り替る場合でも、バッファ装置１００内に滞留するユーザデータを廃棄することなく各移動端末にそれぞれのユーザデータを送信できる。したがって、ユーザデータの廃棄処理が無くなることでユーザデータの再送が不要になるため、無線基地局装置１０と各移動端末間の通信効率が向上する。
【００３９】
（第２の実施の形態）
上述した第１の実施の形態ではバッファ装置を全セル間で共有する例を示した。第２の実施の形態の無線基地局装置は、各セルに対応するバッファ装置をそれぞれ備え、各バッファ装置をセル単位で管理する構成である。
【００４０】
図３は本発明の無線基地局装置の第２の実施の形態の構成を示すブロック図であり、図４は図３に示した第３の移動端末が第２のセルから第３のセルに移動した様子を示すブロック図である。なお、図３及び図４は３つのセル（Cell）を管理する無線基地局装置４０の構成例を示している。無線基地局装置４０が管理するセルの数は３つに限らず、いくつであってもよい。
【００４１】
図３に示すように、第２の実施の形態の無線基地局装置４０は、各セルに対応して設けられた、移動端末毎のユーザデータを一時的に保持する第１のバッファ装置４０１、第２のバッファ装置４０２及び第３のバッファ装置４０３と、各セルに対応して設けられた、ユーザデータを選択するための第１のユーザ選択部４１１、第２のユーザ選択部４１２及び第３のユーザ選択部４１３と、各セルに対応して設けられたユーザデータの符号化及び拡散を行う第１の拡散符号器４２１、第２の拡散符号器４２２及び第３の拡散符号器４２３と、第１のバッファ装置４０１〜第３のバッファ装置４０３に格納するユーザデータ及び第１のユーザ選択部４１１〜第３のユーザ選択部４１３を制御することでユーザデータの優先制御を実現するユーザ制御部４３０と、各セルに対応して設けられた第１のアンテナ装置５１、第２のアンテナ装置５２及び第３のアンテナ装置５３とを有する構成である。
【００４２】
第１のバッファ装置４０１、第１のユーザ選択部４１１、第１の拡散符号器４２１及び第１のアンテナ装置５１は、無線基地局装置４０が管理する３つのセルのうち、第１のセルCell#１に対応した装置である。第２のバッファ装置４０２、第２のユーザ選択部４１２、第２の拡散符号器４２２及び第２のアンテナ装置５２は、無線基地局装置４０が管理する３つのセルのうち、第２のセルCell#２に対応した装置である。また、第３のバッファ装置４０３、第３のユーザ選択部４１３、第３の拡散符号器４２３及び第３のアンテナ装置５３は、無線基地局装置４０が管理する３つのセルのうち、第３のセルCell#３に対応した装置である。
【００４３】
本実施形態のバッファ装置は、各セルに対応して複数設けられ（図３では３つ）、第１のバッファ装置４０１〜第３のバッファ４０３装置には、各セル毎の処理で利用可能な複数のユーザバッファを備えた構成である。図３では、第１のバッファ装置４０１に第１のユーザバッファ４０１1及び第２のユーザバッファ４０１2を備え、第２のバッファ装置４０２に第３のユーザバッファ４０２1及び第４のユーザバッファ４０２2を備え、第３のバッファ装置４０３に第５のユーザバッファ４０３1、第６のユーザバッファ４０３2及び第７のユーザバッファ４０３3を備えた構成を示している。
【００４４】
各ユーザバッファには、不図示の上位装置から無線基地局装置４０に転送された各移動端末宛のユーザデータがユーザ制御部４３０を介して格納される。各バッファ装置が備えるユーザバッファの数は、最大送信電力等によって決まる無線基地局装置４０が収容可能な移動端末の数を考慮して最適に設定される。
【００４５】
第１の拡散符号器４２１〜第３の拡散符号器４２３は、無線基地局装置４０に入力されたユーザデータに対して誤り訂正用の符号化処理を行った後、周知の拡散処理を行い、第１のアンテナ装置５１〜第３のアンテナ装置５３へ出力する。
【００４６】
本実施形態のユーザ制御部４３０は、例えば不図示の上位装置からの通知に基づき各移動端末が在圏するセルを判断し、各移動端末宛のユーザデータを対応するバッファ装置のユーザバッファに格納する。また、ユーザ制御部４３０は、第１のユーザ選択部４１１〜第３のユーザ選択部４１３に対して、対応するバッファ装置内のどのユーザバッファに格納されたユーザデータを選択するかを指示する。
【００４７】
図３は、ユーザＡの第１の移動端末６１及びユーザＢの第２の移動端末６２が第１のセルCell#１に在圏し、ユーザＡのユーザデータが第１のユーザバッファ４０１1に格納され、ユーザＢのユーザデータが第２のユーザバッファ４０１2に格納される例を示している。
【００４８】
また、ユーザＣの第３の移動端末６３及びユーザＤの第４の移動端末６４が第２のセルCell#２に在圏し、ユーザＣのユーザデータが第３のユーザバッファ４０２1に格納され、ユーザＤのユーザデータが第４のユーザバッファ４０２2に格納される例を示している。
【００４９】
さらに、ユーザＥの第５の移動端末６５及びユーザＦの第６の移動端末６６が第３のセルCell#３に在圏し、ユーザＥのユーザデータが第５のユーザバッファ４０３1に格納され、ユーザＦのユーザデータが第６のユーザバッファ４０３2に格納される例を示している。
【００５０】
この場合、ユーザ制御部４３０は、第１のユーザバッファ４０１1及び第２のユーザバッファ４０２2に格納されたユーザデータに対して、それぞれのPriorityに応じた送信機会が割り当てられるように第１のユーザ選択部４１１に選択させるユーザデータを指示する。
【００５１】
また、ユーザ制御部４３０は、第３のユーザバッファ４０２1及び第４のユーザバッファ４０２2に格納されたユーザデータに対して、それぞれのPriorityに応じた送信機会が割り当てられるように第２のユーザ選択部４１２に選択させるユーザデータを指示する。さらに、ユーザ制御部４３０は、第５のユーザバッファ４０３1及び第６のユーザバッファ４０３2に格納されたユーザデータに対して、それぞれのPriorityに応じた送信機会が割り当てられるように第３のユーザ選択部４１３に選択させるユーザデータを指示する。
【００５２】
Priorityを考慮した優先制御としては、第１の実施の形態と同様にＷＲＲ法がある。
【００５３】
第１のユーザ選択部４１１〜第３のユーザ選択部４１３は、第１のバッファ装置４０１〜第３のバッファ装置４０３からユーザ制御部４３０の指示に基づき対応するユーザバッファを検索し、検索したユーザバッファからユーザデータを取得して第１の拡散符号器４２１〜第３の拡散符号器４２３へ出力する。
【００５４】
次に、第２の実施の形態の無線基地局装置の動作について図３及び図４を用いて説明する。
【００５５】
図３に示すように、第２のセルCell#２には、ユーザＣの第３の移動端末６３及びユーザＤの第４の移動端末６４が在圏しているため、第２のユーザ選択部４１２は、ユーザ制御部４３０の指示に従い、それぞれのPriorityに応じた送信機会が割り当てられるように、所定の単位時間毎に第３のユーザバッファ４０２1及び第４のユーザバッファ４０２2からユーザデータを取得し、第２の拡散符号器４２２へ出力する。
【００５６】
また、第３のセルCell#３には、ユーザＥの第５の移動端末６５及びユーザＦの第６の移動端末６６が在圏しているため、第３のユーザ選択部４１３は、ユーザ制御部４３０の指示に従い、それぞれのPriorityに応じた送信機会が割り当てられるように、所定の単位時間毎に第５のユーザバッファ４０３1及び第６のユーザバッファ４０３2からユーザデータを取得し、第３の拡散符号器４２３へ出力する。
【００５７】
ここで、図４に示すように、ユーザＣの第３の移動端末６３が第２のセルCell#２から第３のセルCell#３へ移動した場合、ユーザ制御部４３０は不図示の上位装置からの通知により第３の移動端末６３が第３のセルCell#３へ移動したことを検知する。
【００５８】
第３の移動端末６３が在圏するセルの切り替りを検知したユーザ制御部４３０は、第３のバッファ装置４０３に、第３の移動端末６３宛のユーザデータを保持するための第７のユーザバッファ４０３3を確保し、不図示の上位装置から第３のユーザバッファ４０２1に転送される第３の移動端末６３宛のユーザデータのコピーを第７のユーザバッファ４０３3にも転送する。
【００５９】
そして、ユーザ制御部４３０は、第３の移動端末６３が第３のセルCell#３への移動を完了した時点で、第３のユーザバッファ４０２1の内容を削除し、バッファ装置の切り替えを行う。
【００６０】
以降、第２のユーザ選択部４１２は、第２のセルCell#２にユーザＤの第４の移動端末６４のみ在圏しているため、第４の移動端末６４宛のユーザデータが格納された第４のユーザバッファ４０２2からユーザデータを取得し、第２の拡散符号器４２２へ取得したユーザデータを出力する。
【００６１】
また、第３のユーザ選択部４１３は、第３のセルCell#３にユーザＣの第３の移動端末６３、ユーザＥの第５の移動端末６５及びユーザＦの第６の移動端末６６が在圏しているため、ユーザ制御部４３０の指示に従い、それぞれのPriorityに応じた送信機会が割り当てられるように、所定の単位時間毎に第５のユーザバッファ４０３1、第６のユーザバッファ４０３2及び第７のユーザバッファ４０３3からユーザデータを取得し、第３の拡散符号器４２３へ出力する。
【００６２】
第２の実施の形態の無線基地局装置においても、第１の実施の形態と同様に、第１のバッファ装置４０１〜第３のバッファ装置４０３内に滞留するユーザデータを廃棄することなく各移動端末にそれぞれのユーザデータを送信できる。したがって、ユーザデータの廃棄処理が無くなることでユーザデータの再送が不要になるため、無線基地局装置４０と各移動端末間の通信効率が向上する。
【図面の簡単な説明】
【００６３】
【図１】本発明の無線基地局装置の第１の実施の形態の構成を示すブロック図である。
【図２】図１に示した第３の移動端末が第２のセルから第３のセルに移動した様子を示すブロック図である。
【図３】本発明の無線基地局装置の第２の実施の形態の構成を示すブロック図である。
【図４】図３に示した第３の移動端末が第２のセルから第３のセルに移動した様子を示すブロック図である。
【符号の説明】
【００６４】
１０、４０    無線基地局装置
２１、５１    第１のアンテナ装置
２２、５２    第２のアンテナ装置
２３、５３    第３のアンテナ装置
３１、６１    第１の移動端末
３２、６２    第２の移動端末
３３、６３    第３の移動端末
３４、６４    第４の移動端末
３５、６５    第５の移動端末
３６、６６    第６の移動端末
１００    バッファ装置
１０１、４０１1    第１のユーザバッファ
１０２、４０１2    第２のユーザバッファ
１０３、４０２1    第３のユーザバッファ
１０４、４０２2    第４のユーザバッファ
１０５、４０３1    第５のユーザバッファ
１０６、４０３2    第６のユーザバッファ
１１１、４１１    第１のユーザ選択部
１１２、４１２    第２のユーザ選択部
１１３、４１３    第３のユーザ選択部
１２１、４２１    第１の拡散符号器
１２２、４２２    第２の拡散符号器
１２３、４２３    第３の拡散符号器
１３０    ユーザ制御部
４０１    第１のバッファ装置
４０２    第２のバッファ装置
４０３    第３のバッファ装置
４０３3    第７のユーザバッファ
【図１】
2005295112.tif 000003
【図２】
2005295112.tif 000004
【図３】
2005295112.tif 000005
【図４】
2005295112.tif 000006